(57)【要約】【課題】建築物の設計図をもとに容易に建築模型を作成することができる建築模型用ブロック基板、模型用建材ブロックおよび建築模型用ブロックセットを提供する。【解決手段】建築模型用ブロック基板１が基板本体１０と複数の基板側凸部１１とを有する。各基板側凸部１１は基板本体１０の上面に縦横等間隔で並列して突出する。基板本体１０は上面に複数の基準線１２を有する。基準線１２は縦横各１列の基板側凸部１１をそれぞれ挟む両側に対をなして直線状に設けられる。基準線１２の各対は同一間隔で縦横それぞれ所定間隔ごとに設けられる。模型用建材ブロックが基部を有する。基部は、底部に嵌合用凹部を有し、端部が基準線の各対の間隔に等しい幅を有し、端面が上面と垂直をなす。模型用建材ブロックは基準線１２の各対に沿って各対の間に配置可能である。【選択図】図１
0003214758.tif 000002
【実用新案登録請求の範囲】
【請求項１】
底部に嵌合用凹部を有する模型用建材ブロックを上面に組み立てるための建築模型用ブロック基板であって、  基板本体と、複数の基板側凸部とを有し、  各基板側凸部は前記嵌合用凹部と嵌合可能であって前記基板本体の上面に縦横等間隔で並列して突出するよう設けられ、  前記基板本体は上面に複数の基準線を有し、前記基準線は縦横各１列の前記基板側凸部をそれぞれ挟む両側に対をなして直線状に設けられ、前記基準線の各対は同一間隔で縦横それぞれ所定間隔ごとに設けられていることを、  特徴とする建築模型用ブロック基板。
【請求項２】
請求項１記載の建築模型用ブロック基板と嵌合可能な模型用建材ブロックであって、
基部を有し、前記基部は、平面正方形状、平面長方形状、平面Ｌ字形状、平面十字形状または平面Ｔ字形状であって底部に前記嵌合用凹部を有し、端部が前記基準線の各対の間隔に等しい幅を有し、端面が上面と垂直をなし、前記基準線の各対に沿って各対の間に配置可能に構成されていることを、
特徴とする模型用建材ブロック。
【請求項３】
請求項１記載の建築模型用ブロック基板を複数有し、請求項２記載の模型用建材ブロックを複数有し、
各基板本体は平面長方形状であって、隣り合う２辺に第１係合部を有し、他の隣り合う２辺に第２係合部を有し、前記第１係合部は他の前記建築模型用ブロック基板の前記第２係合部と係合して連結可能に構成されており、
各模型用建材ブロックは建材側凸部を有し、各建材側凸部は前記基部の上部に突出して設けられ、各模型用建材ブロックは前記建材側凸部を他の前記模型用建材ブロックの前記嵌合用凹部と嵌合させて上下に結合可能に構成されていることを、
特徴とする建築模型用ブロックセット。
【請求項４】
各模型用建材ブロックの端部の前記建材側凸部は半円柱状であって平坦な側面を前記基部の前記端面と同一平面上に有し、他の前記建材側凸部は半円柱状の前記建材側凸部と同一半径の円柱状であることを、
特徴とする請求項３記載の建築模型用ブロックセット。
【考案の詳細な説明】
【技術分野】
【０００１】
本考案は、建築模型を組み立てるための建築模型用ブロック基板、模型用建材ブロックおよび建築模型用ブロックセットに関する。
【背景技術】
【０００２】
従来、建築物のイメージを建築前に施主に確認してもらうため、設計図で平面的に表現するほか、コンピュータグラフィックスにより立体的に表現する方法がとられている。また、近年、建築物のイメージをより捉えやすくするため、建築模型を作成する方法もとられている（例えば、特許文献１参照）。
【先行技術文献】
【特許文献】
【０００３】
【特許文献１】特開２００３−１１４６１０号公報
【考案の概要】
【考案が解決しようとする課題】
【０００４】
しかしながら、特許文献１の建築模型は、建築物の形状データに基づいて建築模型用部品を作成し、建築模型用部品を組み合わせて建築物の模型を作成するようになっているため、作成に手間がかかるという課題があった。
【０００５】
本考案は、このような課題に着目してなされたもので、建築物の設計図をもとに容易に建築模型を作成することができる建築模型用ブロック基板、模型用建材ブロックおよび建築模型用ブロックセットを提供することを目的とする。
【課題を解決するための手段】
【０００６】
上記目的を達成するために、本考案に係る建築模型用ブロック基板は、底部に嵌合用凹部を有する模型用建材ブロックを上面に組み立てるための建築模型用ブロック基板であって、基板本体と、複数の基板側凸部とを有し、各基板側凸部は前記嵌合用凹部と嵌合可能であって前記基板本体の上面に縦横等間隔で並列して突出するよう設けられ、前記基板本体は上面に複数の基準線を有し、前記基準線は縦横各１列の前記基板側凸部をそれぞれ挟む両側に対をなして直線状に設けられ、前記基準線の各対は同一間隔で縦横それぞれ所定間隔ごとに設けられていることを、特徴とする。
【０００７】
本考案に係る建築模型用ブロック基板は、基板本体の上面の基板側凸部に模型用建材ブロックの底部の嵌合用凹部を嵌合させることにより、基板本体の上面に模型用建材ブロックを組み立てることができる。基板本体は上面の縦横に複数の基準線を有するので、基準線に沿って模型用建材ブロックを配置することにより、所定の寸法に寸法を合わせやすい。このため、方眼紙の上に図を描くように模型用建材ブロックを組み立てることができ、建築物の設計図をもとに容易に建築模型を作成することができる。
【０００８】
本考案に係る模型用建材ブロックは、前述の建築模型用ブロック基板と嵌合可能な模型用建材ブロックであって、基部を有し、前記基部は、平面正方形状、平面長方形状、平面Ｌ字形状、平面十字形状または平面Ｔ字形状であって底部に前記嵌合用凹部を有し、端部が前記基準線の各対の間隔に等しい幅を有し、端面が上面と垂直をなし、前記基準線の各対に沿って各対の間に配置可能に構成されていることを、特徴とする。
本考案に係る模型用建材ブロックは、基準線の各対に沿って各対の間に配置することにより、所定の寸法に合わせて組み立てやすくなっている。
【０００９】
本考案に係る建築模型用ブロックセットは、前述の建築模型用ブロック基板を複数有し、前述の模型用建材ブロックを複数有し、各基板本体は平面長方形状であって、隣り合う２辺に第１係合部を有し、他の隣り合う２辺に第２係合部を有し、前記第１係合部は他の前記建築模型用ブロック基板の前記第２係合部と係合して連結可能に構成されており、各模型用建材ブロックは建材側凸部を有し、各建材側凸部は前記基部の上部に突出して設けられ、各模型用建材ブロックは前記建材側凸部を他の前記模型用建材ブロックの前記嵌合用凹部と嵌合させて上下に結合可能に構成されていることを、特徴とする。
本考案に係る建築模型用ブロックセットは、２つの建築模型用ブロック基板を並べて一方の第１係合部を他方の第２係合部と係合させることにより連結することができる。また、２つの模型用建材ブロックを縦に重ねて下側の模型用建材ブロックの建材側凸部を上側の模型用建材ブロックの嵌合用凹部と嵌合させて上下に結合させることができる。
【００１０】
本考案に係る建築模型用ブロックセットにおいて、各模型用建材ブロックの端部の前記建材側凸部は半円柱状であって平坦な側面を前記基部の前記端面と同一平面上に有し、他の前記建材側凸部は半円柱状の前記建材側凸部と同一半径の円柱状であることが好ましい。  この場合、２つの模型用建材ブロックの端面どうしを合わせたとき、互いの端部の半円柱状の建材側凸部が側面で合わさって円柱状の建材側凸部と同様に、他の模型用建材ブロックの嵌合用凹部と嵌合させることができる。
【考案の効果】
【００１１】
本考案によれば、建築物の設計図をもとに容易に建築模型を作成することができる建築模型用ブロック基板、模型用建材ブロックおよび建築模型用ブロックセットを提供することができる。
【図面の簡単な説明】
【００１２】
【図１】本考案の実施の形態の建築模型用ブロック基板を示す（Ａ）平面図、（Ｂ）左側面図、（Ｃ）右側面図、（Ｄ）底面図、（Ｅ）正面図である。
【図２】本考案の実施の形態の模型用建材ブロックの平面十字形状タイプの（Ａ）平面図、（Ｂ）左側面図、（Ｃ）右側面図、（Ｄ）正面図である。
【図３】本考案の実施の形態の模型用建材ブロックの平面Ｔ字形状タイプの（Ａ）平面図、（Ｂ）左側面図、（Ｃ）右側面図、（Ｄ）正面図である。
【図４】本考案の実施の形態の模型用建材ブロックの（Ａ）平面長方形状タイプの平面図、（Ｂ）平面正方形状タイプの平面図、（Ｃ）平面Ｌ字状タイプの平面図、（Ｄ）建材側凸部がないタイプの平面図である。
【考案を実施するための形態】
【００１３】
以下、図面に基づき本考案の実施の形態について説明する。
図１〜図４は、本考案の実施の形態を示している。
本考案の実施の形態の建築模型用ブロックセットは、図１に示す建築模型用ブロック基板１を複数と、図２〜図４に示す模型用建材ブロック２ａ，２ｂ，２ｃ，２ｄ，２ｅ，２ｆをそれぞれ複数有している。
【００１４】
建築模型用ブロック基板１は、平面長方形状の板から成り、模型用建材ブロック２ａ〜２ｆを上面に組み立て可能になっている。建築模型用ブロック基板１は、基板本体１０と複数の基板側凸部１１とを一体的に有している。
各模型用建材ブロック２ａ〜２ｆは、基部２０ａ，２０ｂ，２０ｃ，２０ｄ，２０ｅ，２０ｆを有している。基部２０ａ〜２０ｆは、それぞれ図２〜図４に示すように、平面十字形状（図２参照）、平面Ｔ字形状（図３参照）、平面長方形状（図４（Ａ）参照）、平面正方形状（図４（Ｂ）参照）、平面Ｌ字形状（図４（Ｃ）参照）または大型平面正方形状（図４（Ｄ）参照）を有している。基部２０ａ〜２０ｆは、底部に嵌合用凹部２１を有している。
【００１５】
建築模型用ブロック基板１の各基板側凸部１１は、各模型用建材ブロック２ａ〜２ｆの嵌合用凹部２１と嵌合可能であって基板本体１０の上面に縦横等間隔で並列して突出するよう設けられている。これにより、各模型用建材ブロック２ａ〜２ｆは、建築模型用ブロック基板１と嵌合可能となっている。基板本体１０は、上面に複数の基準線１２を有している。基準線１２は縦横各１列の基板側凸部１１をそれぞれ挟む両側に対をなして直線状に設けられている。基準線１２の各対は、同一間隔で縦横それぞれ所定間隔ごとに設けられている。図１に示す例では、基準線１２の各対は、それぞれ３個の基板側凸部１１を挟む間隔ごとに設けられている。
【００１６】
建築模型用ブロック基板１は、隣り合う２辺に２つの第１係合部１３を有し、他の隣り合う２辺に２つの第２係合部１４を有している。各第１係合部１３は、先端が上方に折れ曲がったフックから成る。各第２係合部１４は、建築模型用ブロック基板１の底部に設けられ、各第１係合部１３と係合する溝孔から成る。第１係合部１３は、他の建築模型用ブロック基板１の第２係合部１４と係合して連結可能に構成されている。
【００１７】
各模型用建材ブロック２ａ〜２ｆの基部２０ａ〜２０ｅは、端部２２が基準線１２の各対の間隔に等しい幅を有し、端面２３が上面と垂直をなしている。各模型用建材ブロック２ａ〜２ｅは、１個または複数の建材側凸部２４を有している。各建材側凸部２４は、基部２０ａ〜２０ｅの上部に突出して設けられている。各建材側凸部２４は、基準線１２の各対に沿って各対の間に配置可能である。各模型用建材ブロック２ａ〜２ｅは、建材側凸部２４を他の模型用建材ブロック２ａ〜２ｆの嵌合用凹部２１と嵌合させて上下に結合可能に構成されている。模型用建材ブロック２ｆは、建材側凸部２４を有していない。
各模型用建材ブロック２ａ，２ｂ，２ｃ，２ｅの端部２２の建材側凸部２４ａは、半円柱状であって平坦な側面を基部２０ａ，２０ｂ，２０ｃ，２０ｅの端面２３と同一平面上に有している。他の建材側凸部２４は、半円柱状の建材側凸部２４ａと同一半径の円柱状である。各模型用建材ブロック２ａ〜２ｆの基部２０ａ〜２０ｆはいずれも同じ高さであり、建材側凸部２４もすべて同じ高さである。
【００１８】
建築模型用ブロック基板１は、基板本体１０の上面の基板側凸部１１に模型用建材ブロック２ａ〜２ｆの底部の嵌合用凹部２１を嵌合させることにより、基板本体１０の上面に模型用建材ブロック２ａ〜２ｆを組み立て、建築物の壁模型を作成することができる。基板本体１０は上面の縦横に複数の基準線１２を有し、模型用建材ブロック２ａ〜２ｅは基準線１２の各対に沿って各対の間に配置可能なため、所定の寸法に合わせて模型用建材ブロック２ａ〜２ｅを組み立てやすくなっている。このため、方眼紙の上に図を描くように模型用建材ブロック２ａ〜２ｅを組み立てることができ、建築物の設計図をもとに容易に建築模型を作成することができる。  各模型用建材ブロック２ａ〜２ｅは、端部２２が基準線１２の各対の間隔に等しい幅を有するので、端部２２を基準線１２の対の間に配置して、設計図などの所定の寸法に寸法を合わせやすくなっている。
【００１９】
２つの建築模型用ブロック基板１は、並べて一方の第１係合部１３を他方の第２係合部１４と係合させることにより連結することができる。また、２つの模型用建材ブロック２ａ〜２ｅを縦に重ねて下側の模型用建材ブロック２ａ〜２ｅの建材側凸部２４を上側の模型用建材ブロック２ａ〜２ｅの嵌合用凹部２１と嵌合させて上下に結合させることができる。２つの模型用建材ブロック２ａ，２ｂ，２ｃ，２ｅは、端面２３どうしを合わせたとき、互いの端部２２の半円柱状の建材側凸部２４ａが側面で合わさって円柱状の建材側凸部２４と同様に、他の模型用建材ブロック２ａ〜２ｆの嵌合用凹部２１と嵌合させることができる。
【００２０】
このように、建築模型用ブロックセットは、建築模型用ブロック基板１が基準線１２によるマス目を有して方眼紙の役割を果たし、模型用建材ブロック２ａ〜２ｆが製図ペンの役割を果たして、短時間で立体的な設計表現を可能とするものである。建築模型用ブロック基板１および模型用建材ブロック２ａ〜２ｆの寸法は、実際の寸法の１／５０サイズであり、尺モジュールとメーターモジュールの２種類がある。メーターモジュールの場合、建築模型用ブロックセットは、２ｃｍで１ｍの建築物を表現している。
【符号の説明】
【００２１】
１  建築模型用ブロック基板
２ａ，２ｂ，２ｃ，２ｄ，２ｅ，２ｆ  模型用建材ブロック
１０  基板本体
１１  基板側凸部
１２  基準線
１３  第１係合部
１４  第２係合部
２０ａ，２０ｂ，２０ｃ，２０ｄ，２０ｅ，２０ｆ  基部
２１  嵌合用凹部
２２  端部
２３  端面
２４  建材側凸部
【図１】
0003214758.tif 000003
【図２】
0003214758.tif 000004
【図３】
0003214758.tif 000005
【図４】
0003214758.tif 000006